(57)【要約】【課題】必要に応じて設置される収納箱の固定が可能でありながらも該収納箱を非設置の状態における見栄えを向上し得る壁パネル及び収納箱固定構造を提供する。【解決手段】壁パネル１は、壁パネル本体１０に連結され、該壁パネル本体の壁面１０ａに対して略水平方向に突出した固定位置及び該壁面と略平行な収納位置に位置付けられる固定部材２０を備えており、前記固定部材は、前記固定位置において、床３上に設置される収納箱４０の上側面４４ａに固定されて該収納箱を固定する構造とされている。【選択図】図１
2013023930.tif 000002
【特許請求の範囲】
【請求項１】
壁パネル本体に連結され、該壁パネル本体の壁面に対して略水平方向に突出した固定位置及び該壁面と略平行な収納位置に位置付けられる固定部材を備えており、
前記固定部材は、前記固定位置において、床上に設置される収納箱の上側面に固定されて該収納箱を固定する構造とされていることを特徴とする壁パネル。
【請求項２】
請求項１に記載の壁パネルにおいて、
前記壁パネル本体に連結され、該壁パネル本体の壁面に対して略水平方向に突出した固定位置及び該壁面と略平行な収納位置に位置付けられ、かつ、前記固定位置において、床上に設置される収納箱の下側面に固定されて該収納箱を固定する構造とされた下側の固定部材を更に備えていることを特徴とする壁パネル。
【請求項３】
請求項１または２に記載の壁パネルにおいて、
前記壁パネル本体には、前記収納位置における固定部材を収納する収納凹所が形成されていることを特徴とする壁パネル。
【請求項４】
請求項１乃至３のいずれか１項に記載の壁パネルにおいて、
前記固定部材は、前記壁パネル本体に対して回動自在に連結され、前記固定位置と前記収納位置との間を変位自在とされていることを特徴とする壁パネル。
【請求項５】
請求項１乃至４のいずれか１項に記載の壁パネルにおいて、
前記固定部材は、前記固定位置において、前記壁面に沿って横並びに設置される隣接する収納箱に跨るように位置付けられ、これら隣接する収納箱同士を固定連結する構造とされていることを特徴とする壁パネル。
【請求項６】
請求項１乃至５のいずれか１項に記載の壁パネルにおいて、
前記固定部材は、前記固定位置における突出方向に沿って伸縮自在とされ、かつ、その伸縮状態を保持する保持部を備えていることを特徴とする壁パネル。
【請求項７】
壁パネル本体に連結され、該壁パネル本体の壁面に対して略水平方向に突出した固定位置及び該壁面と略平行な収納位置に位置付けられる固定部材を、前記固定位置とし、床上に設置された収納箱の上側面に固定して該収納箱を固定する構造とされていることを特徴とする収納箱固定構造。
【発明の詳細な説明】
【技術分野】
【０００１】
本発明は、壁パネル及び収納箱固定構造に関する。
【背景技術】
【０００２】
従来より、前方に向けて開口する収納部を有した収納箱を床上に設置して、収納として利用することがある。このような収納箱は、床面に載置するのみでは、位置ズレしたり、移動し易く、また、地震等の際には揺れにより収納物が落下したり、収納箱自体が倒れてしまうことも考えられる。
下記特許文献１には、システムキッチンのベースキャビネットを壁に固定する構造が開示されている。このものでは、複数の駒材を互いに水平に位置するように壁の下地材に固定し、これら駒材に通し材を取り付け、この通し材に対してキャビネットの側板を固定する構造とされている。
【先行技術文献】
【特許文献】
【０００３】
【特許文献１】特開２０１０−８８４８９号公報
【発明の概要】
【発明が解決しようとする課題】
【０００４】
しかしながら、上記特許文献１に開示されたキャビネットの固定構造は、設置後に移動等がなされ難いシステムキッチンのキャビネットの固定構造であり、建物内空間に必要に応じて収納箱を設置したいような場合には更なる改善が望まれる。
【０００５】
本発明は、上記実情に鑑みてなされたものであり、必要に応じて設置される収納箱の固定が可能でありながらも該収納箱を非設置の状態における見栄えを向上し得る壁パネル及び収納箱固定構造を提供することを目的としている。
【課題を解決するための手段】
【０００６】
上記目的を達成するために、本発明に係る壁パネルは、壁パネル本体に連結され、該壁パネル本体の壁面に対して略水平方向に突出した固定位置及び該壁面と略平行な収納位置に位置付けられる固定部材を備えており、前記固定部材は、前記固定位置において、床上に設置される収納箱の上側面に固定されて該収納箱を固定する構造とされていることを特徴とする。
【０００７】
本発明においては、前記壁パネル本体に連結され、該壁パネル本体の壁面に対して略水平方向に突出した固定位置及び該壁面と略平行な収納位置に位置付けられ、かつ、前記固定位置において、床上に設置される収納箱の下側面に固定されて該収納箱を固定する構造とされた下側の固定部材を更に備えたものとしてもよい。
また、本発明においては、前記壁パネル本体に、前記収納位置における固定部材を収納する収納凹所を形成するようにしてもよい。
また、本発明においては、前記固定部材を、前記壁パネル本体に対して回動自在に連結し、前記固定位置と前記収納位置との間を変位自在とされたものとしてもよい。
また、本発明においては、前記固定部材を、前記固定位置において、前記壁面に沿って横並びに設置される隣接する収納箱に跨るように位置付けられるものとし、これら隣接する収納箱同士を固定連結する構造とされたものとしてもよい。
また、本発明においては、前記固定部材を、前記固定位置における突出方向に沿って伸縮自在とされたものとし、かつ、その伸縮状態を保持する保持部を備えたものとしてもよい。
【０００８】
また、上記目的を達成するために、本発明に係る収納箱固定構造は、壁パネル本体に連結され、該壁パネル本体の壁面に対して略水平方向に突出した固定位置及び該壁面と略平行な収納位置に位置付けられる固定部材を、前記固定位置とし、床上に設置された収納箱の上側面に固定して該収納箱を固定する構造とされていることを特徴とする。
【発明の効果】
【０００９】
本発明に係る壁パネル及び収納箱固定構造は、上述のような構成としたことで、必要に応じて設置される収納箱の固定が可能でありながらも該収納箱を設置しない状態（非設置状態）における見栄えを向上させることができる。
【図面の簡単な説明】
【００１０】
【図１】（ａ）、（ｂ）はいずれも本発明の一実施形態に係る壁パネルの一例を模式的に示し、（ａ）は、図２におけるＸ１−Ｘ１線矢視に対応させた概略縦断面図、（ｂ）は、図４(ｂ)におけるＸ２−Ｘ２線矢視に対応させた概略縦断面図である。
【図２】同壁パネル及びこれを用いて固定される収納箱の一例を模式的に示す一部破断概略斜視図、及び一点鎖線内を拡大して示す概略正面図である。
【図３】同壁パネルを用いた収納箱の固定手順の一例を模式的に示す一部破断概略斜視図である。
【図４】（ａ）は、同固定手順の一例を模式的に示す一部破断概略斜視図、（ｂ）は、同壁パネルを用いた収納箱固定構造の一例を模式的に示す一部破断概略斜視図である。
【図５】本発明の他の実施形態に係る壁パネル及びこれを用いて固定される収納箱の一例を模式的に示す一部破断概略斜視図、及び一点鎖線内を拡大して示す概略正面図である。
【図６】（ａ）、（ｂ）は、いずれも同壁パネルを用いた収納箱固定構造の一例を模式的に示す一部破断概略斜視図である。
【発明を実施するための形態】
【００１１】
以下に本発明の実施の形態について、図面に基づいて説明する。
なお、一部の図では、他図に付している詳細な符号の一部を省略している。
また、以下の各実施形態では、設置された各実施形態に係る壁パネルに対面した状態を基準として、方向等を原則的に説明する。
【００１２】
図１〜図４は、第１実施形態に係る壁パネル及びこれを用いた収納箱固定構造の一例について説明するための概念的な説明図である。
本実施形態に係る壁パネル１は、図１及び図２に示すように、住居等の建物の内壁乃至は壁下地からなる取付下地２に沿って配設される。本実施形態では、壁パネル１は、上下寸法が床３から成人の腰高さ（７００ｍｍ〜１２００ｍｍ）程度の寸法とされ、床３上に設置される収納箱４０を固定する機能を有した収納箱固定機能付きの腰壁パネル１とされている。本実施形態では、図３及び図４に示すように、複数個（図例では２個）の収納箱４０を備えた収納ユニット４を、当該腰壁パネル１によって固定する構造としている。
【００１３】
収納ユニット４は、前方に向けて開口する収納部をそれぞれに有した複数の収納箱４０，４０を備えている。
収納箱４０は、図１（ｂ）及び図２に示すように、天板４１と底板４２と背板４３と左右の側板４４，４４とを備え、これらによって前方に向けて開口する箱形状とされている。この収納箱４０は、図例では、前後寸法（奥行寸法）が左右寸法（幅寸法）よりも短い寸法とされている。
また、両側板４４，４４間に架け渡されるように設けられた棚板４５によって収納部を上下に区画している。図例では、二枚の棚板４５，４５を設け、これらによって上下に３つの収納部を区画形成した例を示している。また、図例では、最下段の収納部に、出し入れ自在とされた引出４６を設けた例を示している。
【００１４】
また、収納ユニット４は、左右に横並びに設置される複数の収納箱４０，４０の最右方及び最左方の各側板４４，４４のそれぞれに沿うように配置される左右のエンドパネル４７，４７を備えている。これらエンドパネル４７，４７は、各収納箱４０の側板４４と略同寸同形状とされている。
また、収納箱４０の側板４４の上端面４４ａ及び下端面４４ｃ並びにエンドパネル４７の上端面４７ａ及び下端面４７ｃには、被係止部４４ｂ，４４ｄ，４７ｂ，４７ｄが設けられている（図１（ｂ）及び図３も参照）。なお、これら被係止部４４ｂ，４４ｄ，４７ｂ，４７ｄについては後述する。
【００１５】
なお、収納箱４０を構成する各板材及びエンドパネル４７は、木質系材料を板状に加工した基材に、適宜、合成樹脂シートや突板等の表面化粧シートを貼着した構成としてもよい。木質系材料としては、合板やＬＶＬ（単板積層材）等の木質積層板、パーティクルボード等の木質ボード、またはインシュレーションボードやＭＤＦ（中密度繊維板）等の木質繊維板などとしてもよい。または、合成樹脂系材料に、木粉や無機フィラー、相溶化剤、着色剤などを所定の含有割合で含有させた木粉・プラスチック複合材（ＷＰＣ）を板状に加工した基材に、上記同様、表面化粧シートを貼着したものとしてもよい。これら各基材は、適宜、組み合わせて積層し、表面化粧シートを貼着するようにしてもよい。また、上記基材としては、木質系材料から形成されたものに限られず、合成樹脂系材料や金属系材料等から形成されたものとしてもよい。
【００１６】
腰壁パネル１は、壁パネル本体１０と、この壁パネル本体１０に連結され、壁パネル本体１０の壁面１０ａに対して略水平方向に突出した固定位置及び壁面１０ａと略平行な収納位置に位置付けられる固定部材２０と、を備えている。この固定部材２０は、固定位置において、床３上に設置される収納箱４０の上側面（図例では、側板４４の上端面）４４ａに固定されて収納箱４０を固定する構造とされている。
また、本実施形態では、収納箱４０の下側面（図例では、側板４４の下端面）４４ｃに固定されて収納箱４０を固定する構造とされた下側の固定部材３０を更に備えている。この下側の固定部材３０は、上側の固定部材２０と同様、壁パネル本体１０に連結され、壁パネル本体１０の壁面１０ａに対して略水平方向に突出した固定位置及び壁面１０ａと略平行な収納位置に位置付けられる。
つまり、本実施形態では、収納箱４０の上側面４４ａに固定される上側固定部材２０と収納箱４０の下側面４４ｃに固定される下側固定部材３０とを備えている。
【００１７】
また、本実施形態では、これら上下の固定部材２０，３０を、壁パネル本体１０の左右方向の同位置に設けて上下で一組とし、これら上下の固定部材２０，３０を、壁パネル本体１０の左右方向に沿って所定の間隔を空けて複数組設けている。この所定の間隔は、図２〜図４に示すように、前方に向けて開口する収納箱４０の左右寸法に応じた寸法としてもよい。図例では、同寸同形状とされて左右寸法が同寸法とされた各収納箱４０の左右寸法に応じた一定の間隔を空けて複数組の上下の固定部材２０，３０を壁パネル本体１０に設けた例を示している。なお、図２〜図４では、三組の上下の固定部材２０，３０のみを図示しているが、当該腰壁パネル１を建物内の一壁部の全体に亘って沿わせるように配設し、四組以上の上下の固定部材２０，３０を設けるようにしてもよい。また、腰壁パネル１は、左右方向に一連に形成されたものとしてもよく、適宜の左右寸法（幅寸法）とされた複数枚の腰壁パネル１を必要に応じて左右方向（幅方向）に連結して設置されるものとしてもよい。
【００１８】
上下の固定部材２０，３０は、いずれも左右方向の幅寸法が比較的に幅狭とされた細長平板状乃至はアーム状とされている。
また、これら上下の固定部材２０，３０は、図１（ａ）及び図３に示すように、壁パネル本体１０に対して回動自在に連結され、少なくとも固定位置と収納位置との間を変位自在とされている。本実施形態では、これら上下の固定部材２０，３０は、それぞれの長手方向一端部（基端部）が壁パネル本体１０に回動自在に連結されて水平軸廻りに回動自在とされ、長手方向を上下方向に沿わせて収納位置とされる。図例では、収納位置とされた下側固定部材３０の上端部（先端部）の手前側に、収納位置とされた上側固定部材２０の下端部（先端部）が重なるように位置付けられる構成としている。
【００１９】
これら上下の固定部材２０，３０が固定位置とされた状態では、下側固定部材３０が床３に載置されるようにして床面に沿うように配置され、この下側固定部材３０の上方側に間隔を空けて上側固定部材２０が配置される。固定位置とされた下側固定部材３０の上側面から固定位置とされた上側固定部材２０の下側面までの寸法は、収納箱４０の高さ寸法に応じた寸法とされている。
また、本実施形態では、上側固定部材２０は、図３に示すように、固定位置から更に水平軸廻りに上方側かつ後方側に向けて回動可能とされ、壁パネル本体１０の上端部から上方に向けて突出するように配置される位置（受入位置）まで回動可能とされている。なお、上側固定部材２０は、図例のように長手方向を上下方向に沿わせて壁面１０ａと略平行に配置されて受入位置とされる態様に限られず、後記するように収納箱４０を固定する際に収納箱４０の受け入れが可能な程度に回動可能とされたものとしてもよい。
【００２０】
壁パネル本体１０は、略矩形平板状とされ、取付下地２に対してねじや釘等の固定止具乃至は接着剤等によって固定される。この取付下地２としては、胴縁や桟部材、間柱、通し柱、下地パネル等としてもよい。また、このような木造の下地を取付下地２とする態様に限られず、鉄筋コンクリート造等の建築物において直壁仕上げ等とされている場合には、その仕上げ面を取付下地２としてもよい。この場合において、固定止具を用いて固定する際には、適宜、コンクリート用のアンカーボルト（プラグ）等の固定止具を採用するようにしてもよい。さらには、既設の内壁を構成する壁面材等を取付下地２として、後施工的に本実施形態に係る腰壁パネル１を施工する態様としてもよい。
【００２１】
この壁パネル本体１０には、左右方向に沿って上記一定の間隔を空けて、収納位置とされた上下の固定部材２０，３０を収納する複数の収納凹所１１が設けられている（図３も参照）。この収納凹所１１は、前方に向けて開口し、上下に長い細長凹溝状とされており、図１（ａ）に示すように、収納位置とされた上下の固定部材２０，３０が壁面１０ａから手前側に突出しないように、これら固定部材２０，３０の略全体を収納し得る構成とされている。なお、このように固定部材２０，３０の略全体を収納し得る構成とした収納凹所１１に代えて、収納位置とされた固定部材２０，３０の一部が壁面１０ａから手前側に突出する構成とされた収納凹所１１としてもよい。また、図例では、上方及び下方に向けて開口するように収納凹所１１を形成した例を示しているが、上方側の開口を塞ぐカバー部等を設けるようにしてもよい。
【００２２】
収納凹所１１の上端部には、図１に示すように、上側固定部材２０の基端部に設けられた回動軸２１を回動自在に支持する軸受部１２が設けられている。また、収納凹所１１の下端部には、下側固定部材３０の基端部に設けられた回動軸３１を回動自在に支持する軸受部１３が設けられている。なお、上下の固定部材２０，３０に回動軸２１，３１を設け、壁パネル本体１０の上下に軸受部１２，１３を設ける態様に代えて、壁パネル本体１０（収納凹所１１）の上下に回動軸を設け、上下の固定部材２０，３０に回動軸を受ける軸受部を設ける態様としてもよい。また、これら上下の固定部材２０，３０を回動自在に壁パネル本体１０に連結する態様としては、蝶番等の他の連結具によって連結する態様としてもよい。
【００２３】
また、本実施形態では、図３及び図４に示すように、上下の固定部材２０，３０は、固定位置において、壁面１０ａに沿って横並びに設置される隣接する収納箱４０，４０に跨るように位置付けられる構成とされている。また、これら上下の固定部材２０，３０によって隣接する収納箱４０，４０同士を固定連結する構造としている。本実施形態では、上下の固定部材２０，３０の幅寸法（左右方向に沿う寸法）を、収納箱４０の側板４４の厚さ寸法（左右方向に沿う寸法）の略２倍の寸法としている。
【００２４】
これら上下の固定部材２０，３０が固定位置とされた状態では、横並びに設置された収納箱４０，４０同士の隣接する側板４４，４４の上下端面４４ａ，４４ｃを略覆うように配置される。また、これら上下の固定部材２０，３０が固定位置とされた状態では、横並びに設置された収納箱４０の最外方側の側板４４及びその側板４４に沿うエンドパネル４７の上下端面４４ａ，４４ｃ，４７ａ，４７ｃを略覆うように配置される。図例では、上側固定部材２０の固定位置における前後寸法を収納箱４０の前後寸法と略同寸法とし、下側固定部材３０の固定位置における前後寸法を収納箱４０の前後寸法よりも僅かに短い寸法とした例を示している。なお、下側固定部材３０の前後寸法を上側固定部材２０と略同寸法としてもよい。また、これら上下の固定部材２０，３０の固定位置における前後寸法を、収納箱４０の前後寸法よりも短い寸法としてもよい。
【００２５】
また、本実施形態では、図１及び図３に示すように、上下の固定部材２０，３０に、収納箱４０の側板４４及びエンドパネル４７に設けられた被係止部４４ｂ，４４ｄ，４７ｂ，４７ｄに固定位置において係止する係止部２２，３２を設けている。
上側固定部材２０の係止部２２は、固定位置における下方側（収納位置における背面側）に向けて突出する係止突起２２とされている。図例では、上側固定部材２０の幅方向に沿って間隔を空けて一対の係止突起２２，２２を設け、これら一対の係止突起２２，２２を上側固定部材２０の長手方向に沿って間隔を空けて複数組（図例では、三組）設けた例を示している。
下側固定部材３０の係止部３２は、固定位置における上方側（収納位置における背面側）に向けて突出する係止突起３２とされている。図例では、上側固定部材２０と同様、下側固定部材３０の幅方向に沿って間隔を空けて一対の係止突起３２，３２を設け、これら一対の係止突起３２，３２を下側固定部材３０の長手方向に沿って間隔を空けて複数組（図例では、三組）設けた例を示している。
【００２６】
これら上下の固定部材２０，３０の各係止突起２２，３２は、これら固定部材２０，３０が固定位置とされた状態で、上下に略一致するように設けられている。
収納箱４０の側板４４及びエンドパネル４７に設けられた被係止部４４ｂ，４４ｄ，４７ｂ，４７ｄは、上下の固定部材２０，３０の係止突起２２，３２が挿入（圧入）される係止穴とされている。これら側板４４及びエンドパネル４７に設けられた係止穴４４ｂ，４４ｄ，４７ｂ，４７ｄは、上下の固定部材２０，３０の係止突起２２，３２に対応させて、前後方向に間隔を空けて上下の各端面４４ａ，４４ｃ，４７ａ，４７ｃに複数（図例では、３つ）設けられている。なお、図２及び図３において符号４８は、側板４４及びエンドパネル４７の上端面４４ａ，４７ａに設けられた係止穴４４ｂ，４７ｂを塞ぐキャップである。
【００２７】
また、本実施形態では、図２に示すように、これら上下の固定部材２０，３０の収納位置を保持する収納位置保持部２３，３３を備えている。図例では、上側固定部材２０の先端部（収納位置における下端部）に、ロック部２３を設け、下側固定部材３０の先端部（収納位置における上端部）に、ロック受部３３を設けた例を示している。
上側固定部材２０のロック部２３は、収納位置における手前側に設けられ、硬貨やマイナスドライバー等の操作具を受け入れる操作凹所２３ａと、収納位置における背面側に設けられたロック片２３ｂとを備えている。このロック片２３ｂは、図２の一点鎖線内拡大図に示すように、操作凹所２３ａをして当該ロック部２３の回動操作がなされることで、収納位置とされた上側固定部材２０の下方側に向くロック位置と側方に向く解除位置とに位置付けられる。
【００２８】
下側固定部材３０のロック受部３３は、収納位置における上方に向けて開口し、上側固定部材２０のロック部２３のロック片２３ｂを受け入れるロック片受入凹所とされている。
図２に示すように、上側固定部材２０のロック部２３のロック片２３ｂをロック位置として下側固定部材３０のロック片受入凹所３３に挿入して係止させることで上下の固定部材２０，３０の収納位置の保持がなされる。一方、上側固定部材２０のロック部２３のロック片２３ｂを解除位置として下側固定部材３０のロック片受入凹所３３への係止を解除させることで、上下の固定部材２０，３０が固定位置に向けて変位可能となる。
このような収納位置保持部２３，３３を設けた構成とすることで、これら上下の固定部材２０，３０が意図せずに収納位置から固定位置となるようなことを抑制することができる。また、幼児や子供等によって上下の固定部材２０，３０が収納位置から固定位置へと操作されるようなことを抑制することができ、安全性を向上させることができる。
【００２９】
なお、上下の固定部材２０，３０の収納位置を保持する収納位置保持部としては、上記した例に限られない。例えば、壁パネル本体１０の収納凹所１１の側部に上記同様のロック片受入凹所を設け、このロック片受入凹所に係止するロック片を備えたロック部を上下の固定部材２０，３０の両方または上側固定部材２０に設ける態様としてもよい。また、ロック部２３としては、回動操作がなされるものに限られず、スライド操作がなされることでロック片２３ｂをロック位置と解除位置とに位置付け可能なものとしてもよい。その他、種々の態様とされた収納位置保持部の採用が可能である。
また、壁パネル本体１０及び上下の固定部材２０，３０は、上記同様の木質系材料や、木粉・プラスチック複合材（ＷＰＣ）、合成樹脂系材料、金属系材料等から上記形状に形成し、適宜、表面化粧シートの貼着や塗装により表面処理が施されたものとしてもよい。
【００３０】
次に、上記構成とされた腰壁パネル１を用いて収納箱４０を固定する固定手順及び収納箱固定構造について説明する。
まず、図３に示すように、壁面１０ａに沿って固定したい個数の収納箱４０と、左右のエンドパネル４７，４７とを用意し、各係止穴４４ｂ，４７ｂからキャップ４８を脱離させる。また、下側固定部材３０を固定位置とし、上側固定部材２０を回動させて受入位置とする。
次いで、図４（ａ）に示すように、収納箱４０及びエンドパネル４７を下側固定部材３０に載置するようにして、これらの下端側の係止穴４４ｄ，４７ｄ（図１（ｂ）参照）に、下側固定部材３０の係止突起３２を嵌め入れる。
【００３１】
そして、図４（ａ）、（ｂ）に示すように、上側固定部材２０を受入位置から固定位置とし、この上側固定部材２０に設けられた係止突起２２を、収納箱４０及びエンドパネル４７の上端側の係止穴４４ｂ，４７ｂ（図１（ｂ）参照）に嵌め入れる。これにより、図４（ｂ）に示すように、複数の収納箱４０が腰壁パネル１の壁面１０ａに沿うようにして固定される。
【００３２】
上記構成とされた本実施形態に係る腰壁パネル１及びこれを用いた収納箱固定構造によれば、必要に応じて設置される収納箱４０の固定が可能でありながらも、収納箱４０を設置しない状態（非設置状態）における見栄えを向上させることができる。
つまり、壁パネル本体１０の壁面１０ａから略水平方向に突出した固定位置において収納箱４０の上側面４４ａに固定されて収納箱４０を固定する上側固定部材２０を備えているので、床３上に設置された収納箱４０を比較的に強固に床３上に固定することができる。これにより、収納箱４０の位置ズレや移動を抑制することができ、安全性を向上させることができる。
また、上側固定部材２０は、壁面１０ａと略平行な収納位置に位置付けられる。従って、収納箱４０を床３上に設置しない場合や、当該上側固定部材２０が設けられた箇所に収納箱４０を設置しない場合には、収納位置とすることで、上側固定部材２０が邪魔になるようなことがなく、また、目立ち難くなり、見栄えを向上させることができる。
【００３３】
また、本実施形態では、下側固定部材３０を更に備えている。従って、収納箱４０の上側面４４ａに固定される上側固定部材２０と、収納箱４０の下側面４４ｃに固定される下側固定部材３０とによって、収納箱４０の上下を挟むように固定できるので、床３上に設置される収納箱４０をより強固に床３上に固定することができる。また、この下側固定部材３０も上側固定部材２０と同様、収納位置とすることで、邪魔になるようなことがなく、また、目立ち難くなり、見栄えを向上させることができる。
さらに、本実施形態では、壁パネル本体１０に、収納位置における固定部材２０，３０を収納する収納凹所１１を形成している。従って、収納位置における固定部材２０，３０をより目立ち難くすることができ、見栄えをより向上させることができる。
【００３４】
さらにまた、本実施形態では、固定部材２０，３０を、壁パネル本体１０に対して回動自在に連結し、固定位置と収納位置との間を変位自在としている。従って、固定部材２０，３０を壁パネル本体１０に対して回動させることで固定位置と収納位置とに変位させることができ、例えば、着脱可能に壁パネル本体に固定部材を連結して固定位置と収納位置とに位置付けられるものと比べて使い勝手を向上させることができる。
また、本実施形態では、固定部材２０，３０を、固定位置において、壁面１０ａに沿って横並びに設置される隣接する収納箱４０，４０に跨るように位置付けられるものとし、これら隣接する収納箱４０，４０同士を固定連結する構造としている。従って、横並びに設置されるそれぞれの収納箱を個別に固定するものと比べて、簡易な構造とすることができる。
さらに、本実施形態では、上下の固定部材２０，３０を、壁パネル本体１０の左右方向に沿って所定の間隔を空けて複数組設けた構成としている。従って、複数の収納箱４０を固定したり、収納箱４０を所望の位置に固定したりすることができ、収納箱４０の設置自由度を向上させることができる。
【００３５】
なお、上記した例では、２個の収納箱４０と左右のエンドパネル４７とを備えた収納ユニット４を固定した例を示しているが、３個以上の収納箱４０を備えた収納ユニット４を固定する構造としてもよい。また、上記した例では、隣接する収納箱４０，４０に跨るように上下の固定部材２０，３０を位置付ける構成とし、それに応じて見栄え上の観点等から左右にエンドパネル４７，４７を設けた例を示しているが、このようなエンドパネル４７，４７を設けないにようにしてもよい。また、複数の収納箱４０を固定する態様に限られず、単一の収納箱４０を、壁面１０ａの手前側の所望位置に固定する構造としてもよい。さらには、一組または二組の上下の固定部材２０，３０を備えた腰壁パネル１とし、これによって単一の収納箱４０を固定する態様としてもよい。
また、上記した例では、上下の固定部材２０，３０によって、隣接する収納箱４０，４０同士を固定連結する構造とした例を示しているが、このような態様に代えて、または加えて、隣接する収納箱４０，４０同士を連結する他の連結具を設けた態様としてもよい。
【００３６】
次に、本発明に係る他の実施の形態について、図面を参照しながら説明する。
図５及び図６は、第２実施形態に係る壁パネルについて説明するための説明図である。
なお、上記第１実施形態との相違点について主に説明し、同様の構成については、同一符号を付し、その説明を省略または簡略に説明する。
【００３７】
本実施形態に係る腰壁パネル１Ａは、図５に示すように、上下の固定部材２０Ａ，３０Ａの構造が上記第１実施形態に係る腰壁パネル１とは主に異なる。
これら上下の固定部材２０Ａ，３０Ａは、固定位置における突出方向（長手方向）に沿って伸縮自在とされ、かつ、その伸縮状態を保持する保持部（伸縮保持部）２５，３５をそれぞれに備えている。
【００３８】
上側固定部材２０Ａは、壁パネル本体１０に上記同様回動自在に連結された基部２４と、この基部２４に対して長手方向に沿って伸縮自在（スライド自在）とされた略薄平板状の伸縮部２６とを備えている。基部２４には、長手方向先端側に向けて開口し、伸縮部２６を受入れる凹所が形成されており、最大限伸長された状態の伸縮部２６の脱落を防止する抜止部が設けられている。また、基部２４の先端部には、図５の一点鎖線内拡大図に示すように、伸縮部２６の伸縮状態を保持する伸縮保持部２５が設けられている。この伸縮保持部２５は、図例では、基部２４の一側部に設けられた雌ねじ孔に螺合する雄ねじ部を備えた蝶ボルト状の締付具２５とされている。この締付具２５の雄ねじ部先端を伸縮部２６の一側部に圧接させることで、伸縮部２６が基部２４に対して固定され、伸縮部２６の伸縮状態の保持がなされる。なお、図５の一点鎖線内拡大図では、伸縮部２６を伸長させた状態として図示している。
【００３９】
この上側固定部材２０Ａの基部２４の長さ寸法は、図６（ａ）に示すように、前方に向けて開口する状態で設置される収納箱４０の前後寸法（収納箱４０自体の奥行寸法）に応じた寸法とされている。また、基部２４から伸縮部２６を伸長させた状態における上側固定部材２０Ａの長さ寸法は、図６（ｂ）に示すように、側方に向けて開口する状態で設置される収納箱４０の前後寸法（収納箱４０自体の幅寸法）に少なくとも応じた寸法とされている。
これら基部２４及び伸縮部２６には、上記同様の係止突起２２が設けられている。本実施形態では、基部２４の基端部に一つの係止突起２２を設け、伸縮部２６の先端部に一つの係止突起２２を設けた例を示している。
下側固定部材３０Ａは、上側固定部材２０Ａと略同様の構成とされており、一つの係止突起３２を設けた基部３４と、一つの係止突起３２を設けた伸縮部３６とを備えている。
また、基部３４には、最大限伸長された状態の伸縮部３６の脱落を防止する抜止部と、伸縮部３６の伸縮状態を保持する上記同様の締付具３５とが設けられている。
【００４０】
上記構成とされた本実施形態に係る腰壁パネル１Ａは、図６（ａ）に示すように、前方に向けて開口する状態で設置される収納箱４０を左右に離間した二組の上下の固定部材２０Ａ，３０Ａによって固定可能としている。この状態では、上下の固定部材２０Ａ，３０Ａの各伸縮部２６，３６が各基部２４，３４に略全体が収納された状態とされる。また、左右の上側固定部材２０Ａ，２０Ａの各係止突起２２，２２が、上述のように収納箱４０の両側板４４，４４の上端面４４ａ，４４ａに設けられた３つの係止穴４４ｂのうちの後方側及び前方側のそれぞれに係止する（図１（ｂ）も参照）。また、左右の下側固定部材３０Ａ，３０Ａの各係止突起３２，３２が、上述のように収納箱４０の両側板４４，４４の下端面４４ｃ，４４ｃに設けられた３つの係止穴４４ｄのうちの後方側及び前方側のそれぞれに係止する（図１（ｂ）も参照）。
【００４１】
また、本実施形態に係る腰壁パネル１Ａは、図６（ｂ）に示すように、側方に向けて開口する状態、つまり、一方の側板４４の側面を壁パネル本体１０の壁面１０ａに沿わせた状態で設置される収納箱４０を上下の固定部材２０Ａ，３０Ａによって固定可能としている。この状態では、上下の固定部材２０Ａ，３０Ａの各伸縮部２６，３６が各基部２４，３４から伸長された状態とされる（図５も参照）。また、上側固定部材２０Ａの基部２４の係止突起２２が壁面１０ａに近接乃至は当接する側の側板４４の上端面４４ａに設けられた係止穴４４ｂに係止し、伸縮部２６の係止突起２２が他方側の側板４４の上端面４４ａに設けられた係止穴４４ｂに係止する（図１（ｂ）も参照）。また、下側固定部材３０Ａの基部３４の係止突起３２が壁面１０ａに近接乃至は当接する側の側板４４の下端面４４ｃに設けられた係止穴４４ｄに係止し、伸縮部３６の係止突起３２が他方側の側板４４の下端面４４ｃに設けられた係止穴４４ｄに係止する（図１（ｂ）も参照）。なお、図例では、収納箱４０の奥行方向（開口方向）に沿って設けられた３つの係止穴４４ｂ，４４ｄのうちの中間の係止穴４４ｂ，４４ｄに上下の固定部材２０Ａ，３０Ａの係止突起２２，３２を係止させた態様としているが、他の係止穴に係止させる態様としてもよい。
【００４２】
上記構成とされた本実施形態に係る腰壁パネル１Ａによれば、上記第１実施形態に係る腰壁パネル１と略同様の効果を奏する。また、前後寸法（奥行寸法）が異なる収納箱や、収納箱の設置態様（前方開口設置や側方開口設置）を異ならせたい場合にも対応することができる。
なお、上下の固定部材２０Ａ，３０Ａのそれぞれに設けられる伸縮保持部２５，３５としては、上記した例に限られない。例えば、基部及び伸縮部の一方に複数の係合穴を設け、他方にこの係合穴に係合するピン等を設け、このピンの係合位置を変更することで多段階的に伸縮可能かつその伸縮状態の保持が可能とされたものとしてもよい。その他、種々の態様とされた伸縮保持部の採用が可能である。また、本実施形態に係る腰壁パネル１Ａに、上下の固定部材２０Ａ，３０Ａの収納位置を保持する上記したような収納位置保持部を設けるようにしてもよい。
【００４３】
なお、上記各実施形態では、上下の固定部材２０（２０Ａ），３０（３０Ａ）を比較的に幅狭とされた細長アーム状とした例を示しているが、例えば、収納箱４０の上側面及び下側面の略全面または一部を覆うような幅広平板状とされたものとしてもよい。
また、上記各実施形態では、収納箱４０の上側面を側板４４の上端面４４ａとし、下側面を側板４４の下端面４４ｃとし、これら上下の端面に係止穴４４ｂ，４４ｄを設けた例を示しているが、このような態様に限られない。例えば、収納箱４０の天板４１の上面及び底板４２の下面をそれぞれ収納箱４０の上側面及び下側面とし、これらに係止穴を設ける態様としてもよい。
【００４４】
また、上記各実施形態では、腰壁パネル１（１Ａ）の高さ寸法と概ね同じような高さ寸法の収納箱４０を固定する構造について例示したが、腰壁パネル１（１Ａ）の高さ寸法よりも低い高さ寸法とされた収納箱４０を固定する構造としてもよい。この場合は、上側固定部材２０（２０Ａ）を壁パネル本体１０の上端部ではなく、収納箱４０の上側面の高さに応じた途中位置に回動自在に連結する態様としてもよい。
さらには、上側固定部材２０（２０Ａ）の基端部を、上下方向に移動可能なように壁パネル本体１０に連結し、高さ寸法の異なる収納箱を固定し得る構造とされたものとしてもよい。例えば、壁パネル本体１０の収納凹所１１の両側部に、上側固定部材２０（２０Ａ）の回動軸をガイドする上下方向に長い長穴や凹溝等を設けた態様としてもよい。この場合は、固定位置における上側固定部材２０（２０Ａ）の高さ位置を保持する高さ位置保持部を設けるようにしてもよい。このような高さ位置保持部としては、上記した伸縮保持部と同様のようなものを採用するようにしてもよい。
【００４５】
また、上記各実施形態では、上下の固定部材２０（２０Ａ），３０（３０Ａ）に、係止部としての係止突起２２，３２を設け、収納箱４０に、これら係止突起２２，３２が係止する被係止部としての係止穴４４ｂ，４４ｄを設けた例を示しているが、このような態様に限られない。例えば、上下の固定部材２０（２０Ａ），３０（３０Ａ）と収納箱４０とを固定する態様としては、ねじや釘等の固定止具を捩じ込む（打ち込む）ことで固定するようにしてもよい。この場合、上側固定部材２０（２０Ａ）に止具挿通孔を設け、収納箱４０の上側面に雌ねじ部を有したナット部を埋め込むように設け、止具挿通孔を介してボルト等によって上側固定部材２０（２０Ａ）を収納箱４０の上側面に固定する態様としてもよい。また、収納箱４０の底板４２等に止具挿通孔を設け、下側固定部材３０（３０Ａ）に雌ねじ部を有したナット部を埋め込むように設け、止具挿通孔を介してボルト等によって収納箱４０を下側固定部材３０（３０Ａ）に固定する態様としてもよい。
【００４６】
または、これら上下の固定部材２０（２０Ａ），３０（３０Ａ）と収納箱４０の上下側面を着脱可能に接合し得る面ファスナーをそれぞれに設け、面ファスナーによってこれらを固定する態様としてもよい。さらには、上下の固定部材２０（２０Ａ），３０（３０Ａ）の固定位置における突出方向先端部等に収納箱４０の前面に係止する鉤状係止突起を設け、該鉤状係止突起の弾性変形を伴い、収納箱４０の前面に引っ掛けるようにして該鉤状係止突起を係止させて固定する態様としてもよい。その他、上下の固定部材２０（２０Ａ），３０（３０Ａ）と収納箱４０とを固定する態様としては、種々の態様の採用が可能である。
【００４７】
また、上記各実施形態では、壁パネル本体１０に収納位置とされた上下の固定部材２０（２０Ａ），３０（３０Ａ）を収納する収納凹所１１を設けた例を示しているが、このような収納凹所１１を設けない態様としてもよい。この場合は、収納位置において上下の固定部材２０（２０Ａ），３０（３０Ａ）が壁パネル本体１０の壁面１０ａに沿うように配置される態様としてもよい。
さらに、上記各実施形態では、上下の固定部材２０（２０Ａ），３０（３０Ａ）を壁パネル本体１０に対して水平軸廻りに回動自在に連結した例を示しているが、これらを壁パネル本体１０に対して垂直軸廻りに回動自在に連結する態様としてもよい。この場合は、壁パネル本体１０の上側部及び下側部に沿うように上下の固定部材２０（２０Ａ），３０（３０Ａ）を収納位置とする態様としてもよい。さらには、このように上下の固定部材２０（２０Ａ），３０（３０Ａ）を回動自在に壁パネル本体１０に連結する態様に代えて、スライド自在に収納可能とするとともに、壁パネル本体１０から引き出した状態で固定位置に向けて回動可能としたような態様としてもよい。または、上下の固定部材２０（２０Ａ），３０（３０Ａ）が、収納位置と固定位置とに少なくとも位置付けられるように壁パネル本体１０に着脱可能に連結される態様としてもよい。
【００４８】
さらにまた、上記各実施形態では、収納箱４０の下側面４４ｃに固定される下側固定部材３０（３０Ａ）を設けた例を示しているが、下側固定部材３０（３０Ａ）を設けずに、上側固定部材２０（２０Ａ）のみを設けた態様としてもよい。このような態様によっても収納箱４０の位置ズレや移動を抑制することはでき、上記した効果と略同様の効果を奏する。
また、上記各実施形態では、成人の腰高さ程度の高さ寸法とされた腰壁パネル１（１Ａ）を例示しているが、天井に至る高さ寸法とされた壁パネルとしてもよい。この場合は、当該壁パネルの高さ方向途中位置に上側の固定部材２０（２０Ａ）を設ける態様としてもよい。
【００４９】
さらに、上記各実施形態に係る壁パネル１（１Ａ）によって固定される収納箱４０としては、図例のものに限られず、引出４６を備えずに棚板のみによって区画されたものや、開き戸等を備えたものとしてもよい。
さらにまた、収納箱４０の上側面（及び下側面）に、固定位置とされた固定部材２０（２０Ａ），３０（３０Ａ）を受け入れる凹所を設けるようにしてもよい。この場合は、固定位置とされた上側固定部材２０（２０Ａ）の上側面と収納箱４０の上記凹所廻りの上側面とが略同一平面状となるようにしてもよい。また、この場合において、下側の固定部材３０（３０Ａ）を設けた場合には、固定位置とされた下側固定部材３０（３０Ａ）の下側面と収納箱４０の上記凹所廻りの下側面とが略同一平面状となるようにしてもよい。
また、上記各実施形態では、壁パネル（腰壁パネル）及びこれを用いた収納箱固定構造について説明したが、壁パネル（腰壁パネル）と、この壁パネル（腰壁パネル）に固定される少なくとも一つの収納箱と、を備えた収納装置として把握するようにしてもよい。
【符号の説明】
【００５０】
１，１Ａ        腰壁パネル（壁パネル）
３              床
１０            壁パネル本体
１０ａ          壁パネル本体の壁面
１１            収納凹所
２０，２０Ａ    上側固定部材（固定部材）
２５            締付具（保持部）
３０，３０Ａ    下側固定部材（下側の固定部材）
３５            締付具（保持部）
４０            収納箱
４４ａ          側板の上端面（収納箱の上側面）
４４ｃ          側板の下端面（収納箱の下側面）
【図１】
2013023930.tif 000003
【図２】
2013023930.tif 000004
【図３】
2013023930.tif 000005
【図４】
2013023930.tif 000006
【図５】
2013023930.tif 000007
【図６】
2013023930.tif 000008